(57)【要約】【課題】粘着物や忌避剤を用いずに物理的な構造のみで蛇の登攀を効果的に防止することができ、また、電柱に網状物を付設することによってかえって凹凸が形成される不都合を回避することができる蛇登攀防止装置を提供する。【解決手段】上方に向かうにつれて電柱２の軸心からの距離が長くなり、垂線が水平に対して下方に傾斜する円錐テーパを備えたネット取付具３と、このネット取付具３の円錐テーパを少なくとも覆うように取り付けられたネット５とを有して構成され、ネット取付具３に、接地線を挿通させる挿通部７を設け、ネット５を、ネット取付具３に対して着脱自在に添設すると共に、該ネットを構成する線材の適所に蛇の登攀を妨害する蛇登攀妨害突起１２を設ける。【選択図】        図１
2011062084.tif 000002
【特許請求の範囲】
【請求項１】
柱状立設体に取り付けられて、蛇の登攀を防止する蛇登攀防止装置であって、
前記柱状立設体の周方向の所定領域にかけて付設されると共に、上方に向かうにつれて柱状立設体の軸心からの距離が長くなり、垂線が水平に対して下方に傾斜する円錐テーパを備えたネット取付具と、このネット取付具の円錐テーパを少なくとも覆うように取り付けられたネットとを有して構成され、
前記ネット取付具には、接地線を挿通させる挿通部が設けられ、
前記ネットは、前記ネット取付具に対して着脱自在に添設されると共に、該ネットを構成する線材の適所に蛇の登攀を妨害する蛇登攀妨害突起を備えている
ことを特徴とする蛇登攀防止装置。
【請求項２】
前記ネット取付具より下方において前記柱状立設体の側面に施設され、前記接地線を挿通させる接地線保護具を更に備え、前記接地線保護具を、前記接地線を挿通させる管状部と、この管状部の周面から前記柱状立設体の周面にかけて窪みが形成されないように延設された裾部とを有して構成し、前記ネットを前記ネット取付具から下方に延設させて前記接地線保護具の少なくとも一部を覆うように取り付けることを特徴とする請求項１記載の蛇登攀防止装置。
【請求項３】
前記ネットは、前記ネット取付具を前記柱状立設体に固定する着脱可能なバンドによって前記ネット取付具に固定され、また、前記柱状立設体に対して着脱可能なバンドによって前記接地線保護具に固定されていることを特徴とする請求項２記載の蛇登攀防止装置。
【請求項４】
前記ネットは、線材の太さを０．５〜１ｍｍ、メッシュの大きさを３ｍｍ程度とし、線材が交差する部位に直径０．５〜１ｍｍの半球状の蛇登攀妨害突起が設けられており、前記ネット取付具及び前記ネットの取り付け位置は、地表面から１．８ｍの範囲であることを特徴とする請求項１記載の蛇登攀防止装置。
【発明の詳細な説明】
【技術分野】
【０００１】
本発明は、電柱等の柱状立設体に蛇が登攀することを防止するために有用な蛇登攀防止装置に関する。
【背景技術】
【０００２】
蛇が電柱の上部の巣中にある卵や雛等を狙って電柱をよじ登り、その際に送電線や配電線に接触すると、地絡事故が発生して電力設備や電力供給先などに膨大な損害を与える恐れがある。このため、蛇の登攀を防止する有効な装置の開発が要請されており、従来においては、様々な蛇登攀防止装置が検討されている。
【０００３】
例えば、下記する特許文献１においては、電柱の表面に蛇害防止用粘着テープを周回状に貼着し、さらに該蛇害防止用粘着テープより上方位置に碗形状に形成した登はん防止具を取り付け、蛇や野鼠等の小動物がよじ登って送配電線等に接触して惹起する事故を防止する装置が開示されている。
【０００４】
また、下記する特許文献２においては、蛇の体表を覆っている多数の腹鱗を引掛けることができないようにし、また、体をＳ字型に湾曲させて押さえ板や突起物間に体を突張らせることができないようにし、さらに腹の中央部を窪ませて吸盤として用いることができないようにするために、横断面円形でかつ表面が平滑な線材によって網状物を構成し、この網状物を構成する線材を金属製または合成樹脂製として、太さを０．５〜２．５ｍｍ、網状物のメッシュを３〜８ｍｍとして、これを電柱の回りに巻き付ける構成が開示されている。
【先行技術文献】
【特許文献】
【０００５】
【特許文献１】特開平５−２３１０４４号公報
【特許文献２】実用新案登録第３０７３５８５号公報
【発明の概要】
【発明が解決しようとする課題】
【０００６】
しかしながら、前者の構成においては、蛇害防止用粘着テープを電柱の回りに粘着させるものであるため、長時間の風雨に晒されると剥離する不都合があり、一旦剥離すると再利用できないものであった。しかも、蛇害防止用粘着テープの忌避剤は、長年月に亘り効果を維持することができないものである。
【０００７】
また、登はん防止具は碗形状に形成されているので、電柱の全周に径方向へ張り出すことになるので、作業員の昇降柱時や各種作業において支障になる不都合があり、また、その構造上、台風等の突風等の影響を受けやすく、破損する恐れがあり、破損した場合にはその破片が飛散して通行人に当たり、怪我させる恐れが懸念される。
【０００８】
後者の構成においては、網状物を電柱の回りに巻き付けるものであるが、電柱には接地線等が表出しているため、電柱に密着して取り付けることは難しく、これら接地線等を覆うように取り付ける場合には、網状物の表面に凹凸が形成されてしまい、蛇が登攀できる状態を形成してしまう不都合がある。
【０００９】
本発明は係る事情に鑑みてなされたものであり、粘着物や忌避剤を用いずに物理的な構造のみで蛇の登攀を効果的に防止することができ、また、電柱に網状物を付設することによってかえって凹凸が形成される不都合を回避することができる蛇登攀防止装置を提供することを主たる課題としている。
【課題を解決するための手段】
【００１０】
ところで、蛇の登攀運動について調査したところによれば、蛇は、図７の別表に示されるような登攀運動をすることが判明している。
すなわち、蛇は、
（１）  柱状立設体の中心軸が重力方向に対して前方へある程度傾いていれば、昇柱することが可能である。逆に、後方へある程度傾いていれば（蛇の背が下側にくるように傾いていれば）、昇柱することができない。
（２）  電柱の上下で隣り合う昇降金具が斜めにずれて取り付けられている場合には、下側の昇降金具に身体を引っ掛けて固定し、斜め上方の昇降金具へ頭部を伸ばし、この上方の昇降金具に頭部が到達すれば、その昇降金具に頭部側の身体を引っ掛け固定し、下方側の身体を引き上げ、以後、当該運動を繰り返して電柱を登攀していく。
（３）  電柱の上下で隣り合う昇降金具が鉛直線上に取り付けられている場合には、下側の昇降金具に辿り着いた蛇は、昇降金具に身体を引っ掛けて固定し、真上方向の昇降金具に頭部を伸ばす。この際、蛇は、蛇行しながら腹鱗（腹板）を電柱表面の微細な凹凸部に引っ掛け、折れ曲がっている身体を徐々に伸ばしていき、頭部が、次の昇降金具に到達すれば、その昇降金具に身体を引っ掛けて固定し、下方側の身体を引き上げ、以後、当該運動を繰り返して電柱を登攀していく。
（４）  壁面に存在する多数の突起に，蛇の体表を覆っている多数の腹鱗（腹板）を引掛け，それを支えとして登っていく。尚、直径が０．０５〜１［ｍｍ］程度の微細な球形状のものに腹鱗（腹板）を係合させることができない。
（５）  長い胴体をＳ字型に湾曲させ，壁面の突起物の間に体を突張らせて体を支えることにより登る。
（６）  腹部の中央を窪ませて吸盤状とすることにより体を支えて登る。
本発明者は、このような蛇の登攀習性を把握した上で、粘着物や忌避剤を用いずに物理的な構造のみで蛇の登攀を効果的に防止できる防止器具について鋭意研究を重ねた結果、蛇の登攀を防止するためには、前記図７の別表で示す（１）に対する対策と、（２）〜（６）のいずれかに対する対策とを併せ持つようにすれば、非常に優れた登攀防止が図れるとの知見を見出し、本発明を完成させるに至った。
【００１１】
すなわち、本発明に係る蛇登攀防止装置は、柱状立設体に取り付けられて、蛇の登攀を防止するものであって、前記柱状立設体の周方向の所定領域にかけて付設されると共に、上方に向かうにつれて柱状立設体の軸心からの距離が長くなり、垂線が水平に対して下方に傾斜する円錐テーパを備えたネット取付具と、このネット取付具の円錐テーパを少なくとも覆うように取り付けられたネットとを有して構成され、前記ネット取付具には、接地線を挿通させる挿通部が設けられ、前記ネットは、前記ネット取付具に対して着脱自在に添設されると共に、該ネットを構成する線材の適所に蛇の登攀を妨害する蛇登攀妨害突起を備えていることを特徴としている。
【００１２】
したがって、ネット取付具には、上方に向かうにつれて柱状立設体の軸心からの距離が長くなり、垂線が水平に対して下方に傾斜する円錐テーパが設けられているので、前記（１）に対する対策が講じられており、また、ネット取付具の表面には蛇の登攀を妨害する蛇登攀妨害突起を備えたネットが添設されているので、前記（４）に対する対策が講じられている。このため、それぞれの物理的な構造による登攀防止機能により蛇の登攀は防止され、仮に、一方の登攀防止機能が不十分であっても、他の登攀防止機能も備えているので、蛇の登攀をより確実に防止することが可能となる。また、ネット取付具は、柱状立設体の周方向の所定領域にかけて付設されているので、作業員の昇降動作や各種作業の支障になることもなくなる。
【００１３】
また、上述の構成に加えて、ネット取付具より下方において柱状立設体の側面に施設されて接地線を挿通させる接地線保護具を更に備え、前記接地線保護具を、前記接地線を挿通させる管状部と、この管状部の周面から前記柱状立設体の周面にかけて窪みが形成されないように（管状部の周面および前記柱状立設体の周面に対してほぼ接線をなすように）延設された裾部とを有して構成し、前記ネットを前記ネット取付具から下方に延設させて前記接地線保護具の少なくとも一部を覆うように取り付けてもよい。
【００１４】
このような構成においては、接地線保護具の周面と柱状立設体との間に窪みがないため、前記（５）に対する対策が講じられており、蛇が窪みを利用して登攀することができなくなり、また、接地線保護具の表面の少なくとも一部には前記ネットが添設されていることと相まって、蛇の登攀をより確実に防止することが可能となる。
【００１５】
尚、前記ネットは、前記ネット取付具を前記柱状立設体に固定する着脱可能なバンドによって前記ネット取付具に固定するようにし、また、前記柱状立設体に対して着脱可能なバンドによって前記接地線保護具に固定するようにしてもよい。このような構成によれば、強固な固定状態を形成することができるので、強風等で固定状態が解除されたりネット取付具が破損することを避けることが可能となる。
【００１６】
また、前記ネットは、その線材の太さを０．５〜１ｍｍとし、メッシュの大きさを３ｍｍ程度とし、線材が交差する部位に直径０．５〜１ｍｍの半球状の蛇登攀妨害突起を設けることが有用であり、さらに、柱状立設体へのネット取付具及びネットの取り付け位置は、足場ボルト等がない地表面から１．８ｍの範囲にするとよい。
【発明の効果】
【００１７】
以上述べたように、本発明に係る蛇登攀防止装置によれば、柱状立設体の周方向の所定領域にかけて付設されて、上方に向かうにつれて柱状立設体の軸心からの距離が長くなり、垂線が水平に対して下方に傾斜する円錐テーパを備えたネット取付具と、このネット取付具の円錐テーパを少なくとも覆うように取り付けられたネットとを有し、ネット取付具に、接地線を挿通させる挿通部を設け、ネットを、このネット取付具に対して着脱自在に添設し、このネットを構成する線材の適所に蛇の登攀を妨害する蛇登攀妨害突起を設けたので、物理的な構造のみで複数の登攀防止機能を持たせて、蛇の柱状立設体の登攀を効果的に防止することができ、粘着物や忌避剤が不要になるため、耐久性や永続性に優れたものとなる。また、ネット取付具が柱状立設体の周方向の所定領域にかけて付設されるので、作業員の柱状立設体への昇降動作や各種作業の支障になることもなくなる。
【００１８】
さらに、ネットをネット取付具を介して電柱に添設するようにしたので、ネットを電柱に直接添設する場合の不都合（接地線等によりネット表面に凹凸が形成されてしまう不都合）を回避することが可能となる。
【００１９】
尚、柱状立設体の前記ネット取付具より下方に施設されて接地線を挿通させる接地線保護具を更に備え、この接地線保護具を前記接地線を挿通させる管状部と、この管状部の周面から前記柱状立設体の周面にかけて窪みが形成されないように延設された裾部とを有して構成し、ネットをネット取付具から下方に延設させて前記接地線保護具の少なくとも一部を覆うように添設すれば、蛇が接地線保護具と柱状立設体との間の窪みを利用して登攀する不都合も回避することができ、蛇が柱状立設体を登攀しようとする初期の段階で登攀を防止することが可能となる。
【図面の簡単な説明】
【００２０】
【図１】図１は、本発明に係る蛇登攀防止装置を電柱に取り付けた状態を示す図である。
【図２】図２は、本発明に係る蛇登攀防止装置を示す側断面図である。
【図３】図３は、ネット取付具の正面図である。
【図４】図４（ａ）は、電柱に取り付けられたネット取付具の上端部を示す端面図であり、図４（ｂ）は、電柱に取り付けられたネット取付具の下端部を示す端面図である。
【図５】図５は、接地線防護具を示す図であり、（ａ）は電柱に取り付けられている状態を示す斜視図であり、（ｂ）は電柱に対する取付状態を説明する平面図である。
【図６】図６は、ネットの示す図であり、（ａ）はその全体構成を示す図、（ｂ）はネットの一部拡大図、（ｃ）はネットの他の構成例を示す一部拡大図である。
【図７】図７は、蛇の登攀運動をまとめた表である。
【発明を実施するための形態】
【００２１】
以下、本発明に係る蛇登攀防止装置の実施形態を添付図面を参照しながら説明する。この例では、柱状立設体として、送電線や配電線の電柱を例とし、蛇としては、体長２ｍ、立ち上がる能力を体長の３／４（１．５ｍ）とした場合を想定する。
【００２２】
図１及び図２において、蛇登攀防止装置１は、電柱２の側面に付設されたネット取付具３と、このネット取付具３の下方において電柱２の側面に付設された接地線保護具４と、これらネット取付具３と接地線保護具４とを覆うように取り付けられたネット５とを有して構成されている。
【００２３】
ネット取付具３は、図３及び図４にも示されるように、電柱２の周方向の所定領域、たとえば、電柱２の周面の約１２０°の範囲にかけて設けられ、上方に向かうにつれて電柱２の軸心Ｇからの距離が長くなり、垂線が水平に対して下方に傾斜する円錐テーパ６を備えている。このネット取付具３は、上下方向の長さを約５０ｃｍとし、円錐テーパ６の傾斜角を電柱２のテーパに合わせて、外側へ同程度の逆テーパが形成されるように設定されている。たとえば、１／７５のテーパを有する電柱の場合であれば、外側へ１／７５で張り出すように円錐テーパ６が形成されている。
【００２４】
また、ネット取付具３の電柱２に接触させる中央部には、上下方向に沿って接地線を挿通させる挿通部７が形成されており、また、円錐テーパ６の上端部近傍、中間部、及び下端部近傍には、周方向に延びる溝３ａ，３ｂ，３ｃが略平行に形成されている。この例において、上端部近傍および下端部近傍に形成される溝３ａ，３ｃは、中間部に形成される溝３ｂよりも深く形成されており、この上端部の溝３ａと下端部の溝３ｃには、後述するネット５を構成する線材５ｃを嵌め入れると共に、その上からネット取付具３を電柱２に回し留めるためのステンレスバンド８を嵌入できるようになっており、中間部の溝３ｂには、ネット取付具３を電柱２に回し留めるステンレスバンド８のみが嵌入できるようなっている。したがって、上端部近傍、中間部、下端部近傍の３ヶ所の溝３ａ，３ｂ，３ｃに取り付けられるステンレスバンド８によってネット取付具３が電柱２に固定され、また、上端部近傍と下端部近傍の２ヶ所の溝３ａ，３ｃに取り付けられるステンレスバンド８によってネット５がネット取付具３に取り付けられている（上端部近傍および下端部近傍の溝３ａ，３ｃに対してはネット５の上からステンレスバンド８を取り付けることで、ネット取付具３を電柱２に固定すると共にネット５をネット取付具３に固定し、中間部の溝３ｂに対してはネット５の下でステンレスバンド８を取り付けることにより、ネット取付具３を電柱２に固定するようにしている）。
【００２５】
接地線保護具４は、図５に示されるように、接地線を挿通させる硬質ビルニ管などによって構成された管状部４ａと、この管状部４ａの周面から電柱２の周面にかけて窪みが形成されないように（管状部４ａの周面および電柱２の周面に対してほぼ接線をなすように）延設された合成樹脂により形成される裾部４ｂとを有して構成されている。この例では、接地線保護具４の長さを１．４ｍとし、また、管状部を内径１４ｍｍとしている。
【００２６】
ネット５は、所用径を有すると共に所定の強度および耐候性を有する線材、例えば、テグスまたはナイロン等の樹脂によって構成されており、線材同士を交差させて、例えば矩形の網目が形成されているものである。このネット５は、作業員の電柱への昇降時において、作業員が靴をかけても破損しない程度の強度に形成されており、この例においては、図６（ａ）に示されるように、前記ネット取付具の円錐テーパの表面全体を覆うことできるように逆三角形状に形成された拡大部５ａと、この拡大部５ａに続いて下方に延設され、接地線保護具４の中程にかけて該接地線保護具４の表面を覆うことができるように所定幅に形成された垂下部５ｂとを備え、垂下部５ｂの両側縁のそれぞれには、上部、下部、中間部の３か所にバンド取付用リング１０が設けられ、このバンド取付用リング１０を通したステンレスバンド１１を電柱２に回し留めることで、ネット５の垂下部５ｂを接地線保護具４の表面及び電柱２の表面に固定するようにしている。
【００２７】
また、ネット５の拡大部５ａの上部（この例では上端）および下部の両側縁と垂下部５ｂに取り付けられたバンド取付用リング１０とには、紐５ｄ、５ｅが設けられている。拡大部５ａの両側縁に設けられる紐５ｄは、ネット５を構成する線材５ｃを延長させて構成されているもので、拡大部５ａをネット取付具３の表面に密着させた状態において、電柱２の後ろで互いに結ぶことができる程度の長さに形成されている。また、バンド取付用リング１０に取り付けられる紐５ｅはバンド取付用リング１０に結び留める等して取り付けられているもので、接地線保護具４の表面に密着させた状態において、電柱２の後ろで互いに結ぶことができる程度の長さに形成されている。
【００２８】
さらに、ネット５を構成する線材５ｃの適所には、図６（ｂ）に示されるように、蛇の登攀を妨害する蛇登攀妨害突起１２が設けられている。この蛇登攀妨害突起１２は、ネット５を構成する線材同士の各交差部に、例えば半球状の突起を形成することにより構成されており、接着剤等の樹脂を後付けすることにより、或いは線材の成形時に予め一体的に成形することなどにより形成されている。
【００２９】
上述の例では、ネットの全長（上下方向の寸法）が１．５ｍ、拡大部において０．５ｍ、垂下部において１ｍに設定されており、ネット５の線材５ｃの太さを０．５〜１ｍｍ、網目の大きさを約３ｍｍ程度とし、蛇登攀妨害突起の直径を０．５〜１ｍｍの半球状に形成している。
また、ネット取付具は、その上端が地表面から足場ボルトのない約１．８ｍまでの範囲に取り付けられ、したがって、ネットは、地表から１．８ｍまでの範囲に取り付けられている。
【００３０】
以上の構成において、蛇登攀防止装置１を電柱２に取り付けるには、まず、ネット取付具３の高さを調整すると共に、接地線の位置に合わせて周方向の位置を決め、挿通部７に接地線を配置した状態で中間部の溝３ｂにステンレスバンド８を嵌め入れて電柱２に回し留め、ネット取付具３を電柱２の側面に固定する。
また、接地線保護具４の管状部４ａに接地線を挿通させて、接地線保護具４の背面を電柱２の側面に当接させて固定する。
【００３１】
その後、ネット５をネット取付具３の全面と接地線保護具４の上半分を覆うように前面からあてがい、ネット５の上端部の位置をネット取付具３の上端部の位置に合わせて、ネット５の拡大部５ａの上部を構成する線材５ｃをネット取付具３の上端部近傍の溝３ａに嵌め入れると共に、拡大部５ａの下部を構成する線材５ｃをネット取付具３の下端部近傍の溝３ｃに嵌め入れ、拡大部５ａの両側に取り付けられている紐５ｄを電柱２の後ろに回して、同じ高さ位置の紐同士を拡大部５ａがネット取付具３の表面に密着するようテンションをかけつつ電柱２の後ろで結び留める。また、垂下部５ｂの両側のバンド取付用リング１０に取り付けられている紐５ｅを電柱の後ろに回して、同じ高さ位置の紐同士を垂下部５ｂが接地線保護具４の表面に密着するようテンションをかけつつ電柱２の後ろで結び留める。以上のようにしてネット５を仮止めした後、ネット取付具３の上端部近傍の溝３ａにステンレスバンド８をネット５の上から嵌め付けて電柱２に回し留め、また、ネット取付具３の下端部近傍の溝３ｃに対しても、ネット取付具３の下端部近傍の溝３ｃにステンレスバンド８をネット５の上から嵌め付けて電柱２に回し留める。これによりネット取付具３を３本のステンレスバンド８によって電柱２に強固に固定すると共に、ネット５を上下２本のステンレスバンド８によってネット取付具３に脱落しないように密着固定する。
【００３２】
また、ネット５の垂下部５ｂの上部及び中間部においては、ステンレスバンド１１でネット５の垂下部５ｂを固定しつつ、ステンレスバンド１１がネット５の前面に表出されないようにするために、ステンレスバンド１１を、左右両側の一方のバンド取付用リング１０に表側から裏側へ挿通させてネット５の裏側を通過させ、その後、他方のバンド取付用リング１０に裏側から表側へ挿通させ、しかる後にステンレスバンドの両端を電柱２の後方へ回して電柱２に回し留める。
これに対して、ネット５の垂下部５ｂの下部においては、垂下部５ｂの下部を接地線保護具４の表面に密着固定させるために、ステンレスバンド１１を、左右両側の一方のバンド取付用リング１０に裏側から表側へ挿通させてネットの表面を渡し、その後、他方のバンド取付用リング１０に表側から裏側へ挿通させ、しかる後にステンレスバンドの両端を電柱２の後方へ回して電柱２に回し留める。
【００３３】
したがって、上述のように設置された蛇登攀防止装置１によれば、ネット取付具３の円錐テーパ６はその垂線が水平に対して下方に傾斜するように設けられているので、図７の（１）に対する対策が講じられており、蛇の登攀を防止することが可能となる。また、ネット５は、電柱２の表面に直接付設するのではなく、ネット取付具３の円錐テーパ６に付設させるので、ネット５の表面に接地線等により凹凸が形成されて蛇が登攀できる状態が形成されることがなくなる。
【００３４】
また、ネット取付具３から接地線保護具４にかけては、その表面に蛇の登攀を妨害する蛇登攀妨害突起１２を備えたネット５が添設されているので、図７の（４）に対する対策が講じられており、この点においても、蛇の登攀を防止することが可能となる。
【００３５】
さらに、ネット取付具３の下方においては、電柱２との間に窪みが形成されないように接地線保護具４が添設されているので、図７の（５）に対する対策が講じられており、接地線保護具４を介して蛇が登攀することも防止され、また、接地線保護具４には、その上半分が前記ネット５で覆われているので、一層確実に蛇の登攀を防止でき、電柱２に登攀しようとする初期の段階から登攀を防止することが可能となる。
このため、上述のような物理的な構造による登攀防止機能により蛇の登攀を防止することが可能となるので、仮に、いずれかの登攀防止機能が不十分であっても、残りの登攀防止機能により蛇の登攀を確実に防止することが可能となる。
【００３６】
また、上述の構成においては、ネット取付具３が、電柱２の周方向の所定領域（約１２０°の範囲）にかけて付設されているので、作業員の昇降動作や各種作業の支障になることもなくなる。
【００３７】
さらにまた、ネット５をネット取付具３の全面と接地線保護具４の上半分を覆うように取り付けるに当たり、ネット５をその両側に設けられた紐５ｄ、５ｅによって電柱２に仮止めするようにしているので、ネット５の取付作業が容易になると共にネット５をネット取付具３や接地線保護具４に密着させやすくなり、また、ステンレスバンド８，１１が何らかの原因で破損した場合でも、ネット５の固定状態を維持することが可能となる。
【００３８】
また、ネット取付具３は電柱２に対してステンレスバンドで着脱自在に固定され、また、ネット５はネット取付具３や接地線保護具４に対してステンレスバンド８，１１で着脱自在に固定されているので、強固な固定状態を確保しつつ、除去したい場合には、ステンレスバンド８，１１を除去することで除去が可能となり、その後、ネット取付具３やネット５は再利用が可能となる。
【００３９】
さらに、ステンレスバンド８，１１は、ネット５の拡大部５ａの中間部と垂下部５ｂの上部及び中間部においてネット５の下側を通すようにしているので、ネット表面に対しても、図７の（４）、（６）に対する対策が講じられており、蛇の登攀をより確実に防止することが可能となる。
【００４０】
尚、上記構成例においては、ネット５に設けられる蛇登攀妨害突起１２をネット５を構成する線材５ｃ同士の交差部に設けた例を示したが、図６（ｃ）に示されるように、交差部に加えて隣接する交差部間に位置する線材の中間部分にも蛇登攀妨害突起を設けるようにしてもよい。また、ステンレスバンド８，１１の数も、ネット５の大きさ等に応じて適宜増減させてもよい。
さらにネット取付具３の円錐テーパ６は、ネット取付具３を電柱２の径方向に大きく突出させないようにするために、僅かな傾斜角を有する逆テーパとすることが好ましいが、傾斜角は適宜変更してもよい。
【符号の説明】
【００４１】
１  蛇登攀防止装置
２  電柱
３  ネット取付具
４  接地線保護具
５  ネット
６  円錐テーパ
７  挿通部
８，１１  ステンレスバンド
【図１】
2011062084.tif 000003
【図２】
2011062084.tif 000004
【図３】
2011062084.tif 000005
【図４】
2011062084.tif 000006
【図５】
2011062084.tif 000007
【図６】
2011062084.tif 000008
【図７】
2011062084.tif 000009